(57)【要約】      （修正有）【課題】無線ネットワーク上のメディアダウンロードサービスの能力を知的に最大化する手段を提供する。【解決手段】装置および方法は、無線ネットワークの利用可能帯域幅を推定し、閾値と比較する。利用可能帯域幅が閾値を超えるならば、サービスを高帯域幅モードで動作させる。利用可能帯域幅が閾値を超えないならば、サービスを低帯域幅モードで動作させる。【選択図】図３
2015062289.tif 000002
【特許請求の範囲】
【請求項１】
ネットワーク上のメディアダウンロードサービスの能力を最大化する方法であって、  前記ネットワークの帯域幅を推定すること；および
推定された前記帯域幅が所定閾値を超える場合に、前記メディアダウンロードサービスを高帯域幅モードで動作させることを含む方法。
【請求項２】
前記高帯域幅モードで前記メディアダウンロードサービスを動作させるアクトは、
目的メディアをダウンロードすること；および
前記目的メディアに関連するメディアのプレビューを自動的にダウンロードすることを含む請求項１の方法。
【請求項３】
前記高帯域幅モードで前記メディアダウンロードサービスを動作させるアクトは、
高エンコードレートを自動的に選択すること；および
選択された前記高エンコードレートに合致する前記目的メディアをダウンロードすることを含む請求項１の方法。
【請求項４】
前記高帯域幅モードで前記メディアダウンロードサービスを動作させるアクトは、
高エンコードレートを自動的に選択すること；および
前記高エンコードレートより小さいエンコードレートでの目的メディアのダウンロードの先のアクトに応答して、前記高エンコードレートで前記目的メディアをダウンロードすることを含む請求項１の方法。
【請求項５】
前記高帯域幅モードで前記メディアダウンロードサービスを動作させるアクトは、
目的メディアをダウンロードすること；および
前記目的メディアに関連する追加コンテントをダウンロードすることを含む請求項１の方法。
【請求項６】
前記追加コンテントは、
前記目的メディアに関連するアルバムアート；
前記目的メディアに関連する歌詞テキスト；および
前記目的メディアに関連する音楽ビデオの少なくとも一つを含む請求項５の方法。
【請求項７】
前記ネットワークは、低速インタフェースおよび少なくとも１つの高速インタフェースを具備し、低速インタフェースおよび高速インタフェースは、それぞれに関連する異なる帯域幅を持ち、前記推定するステップは、前記インタフェースのうちのいずれが使用されているかを識別することを含む請求項１の方法。
【請求項８】
前記ネットワークは無線ネットワークであり、前記高速インタフェースは、
ＩＳ−８５６／Ｅｖｏｌｕｔｉｏｎ−Ｄａｔａ  Ｏｐｔｉｍｉｚｅｄ（ＥＶ−ＤＯ）インタフェース；
高速ダウンリンクパケットアクセス（ＨＳＤＰＡ）インタフェース；および
ユニバーサルモバイルテレコミュニケーション・システム（ＵＭＴＳ）インタフェースの少なくとも一つを含む請求項７の方法。
【請求項９】
前記帯域幅は外部パラメータの関数であり、前記推定するステップは、前記外部パラメータの値を識別することを含む請求項１の方法。
【請求項１０】
前記ネットワークがＩＳ−８５６／Ｅｖｏｌｕｔｉｏｎ−Ｄａｔａ  Ｏｐｔｉｍｉｚｅｄ（ＥＶ−ＤＯ）インタフェースを使用しており、前記外部パラメータは、ダウンロードのための装置と、該ダウンロードのための装置と通信する基地局との間の距離である請求項９の方法。
【請求項１１】
推定された前記帯域幅が所定閾値を超えないときに、前記メディアダウンロードサービスを低帯域幅モードで動作させることをさらに含む請求項１の方法。
【請求項１２】
前記メディアダウンロードサービスを前記低帯域幅モードで動作させる前記アクトは、
目的メディアをダウンロードすること；および
前記目的メディアに関連するメディアのプレビューを自動的にダウンロードすることを含み、
前記自動的なダウンロードは、所定期間中にのみ実行される請求項１１の方法。
【請求項１３】
前記メディアダウンロードサービスを低帯域幅モードで動作させる前記アクトは、
より高いエンコードレートを自動的に選択すること；および
前記より高いエンコードレートより小さいエンコードレートでの目的メディアのダウンロードの先のアクトに応答して、前記より高エンコードレートで前記目的メディアを再度、ダウンロードすることを含み、前記ダウンロードが所定期間中にのみ実行される請求項１１の方法。
【請求項１４】
前記メディアダウンロードサービスを低帯域幅モードで動作させる前記アクトは、
目的メディアをダウンロードすること；および
前記目的メディアに関連する追加コンテントをダウンロードすることを含み、前記ダウンロードが所定期間中にのみ実行される請求項１１の方法。
【請求項１５】
前記追加コンテントは、
前記目的メディアに関連するアルバムアート；
前記目的メディアに関連する歌詞テキスト；および
前記目的メディアに関連する音楽ビデオの少なくとも一つを含む請求項１４の方法。
【請求項１６】
バスと；
前記バスにつながれ、前記無線装置を無線ネットワークに接続する無線送受信機と；
前記バスにつながれたユーザインタフェースと；
メディアプレーヤを記憶し、前記メディアプレーヤが目的メディアをダウンロードするのを制御するための高帯域幅エアリンクマキシマイザを記憶する、前記バスにつながれたメモリと；
前記バスにつながれ、前記無線送受信機、前記ユーザインタフェース、および前記メモリを制御するように構成されたＡＳＩＣとを具備し、
前記高帯域幅エアリンクマキシマイザは、
前記無線ネットワークの帯域幅を推定し；
推定された前記帯域幅が所定閾値を超えるときに、前記ダウンロードを高帯域幅モードで動作させるように構成される無線装置。
【請求項１７】
前記高帯域幅モードでの前記ダウンロードは、
前記目的メディアをダウンロードすること；および
前記目的メディアに関連するメディアのプレビューを自動的にダウンロードすることを含む請求項１６の無線装置。
【請求項１８】
前記高帯域幅モードでの前記ダウンロードは、
より高いエンコードレートを自動的に選択すること；
選択された前記より高いエンコードレートに合致する前記目的メディアをダウンロードすることを含む請求項１６の無線装置。
【請求項１９】
前記高帯域幅モードでの前記ダウンロードは、
より高いエンコードレートを自動的に選択すること；および
前記より高いエンコードレートより小さいエンコードレートでの前記目的メディアのダウンロードの先のアクトに応答して、前記より高いエンコードレートで前記目的メディアを再度、ダウンロードすることを含む請求項１の方法。
【請求項２０】
前記高帯域幅モードでの前記ダウンロードは、
前記目的メディアをダウンロードすること；および
前記目的メディアに関連する追加コンテントをダウンロードすることを含む請求項１６の無線装置。
【請求項２１】
前記追加コンテントは、
前記目的メディアに関連するアルバムアート；
前記目的メディアに関連する歌詞テキスト；および
前記目的メディアに関連する音楽ビデオの少なくとも一つを含む請求項２０の無線装置。
【請求項２２】
前記メモリは、前記メディアプレーヤが目的メディアをダウンロードするのを制御するための低帯域幅エアリンクマキシマイザをさらに記憶し、
前記低帯域幅エアリンクマキシマイザは、
前記無線ネットワークの帯域幅を推定し、
推定された前記帯域幅が所定閾値を超えないときに、前記ダウンロードを低帯域幅モードで動作させるように構成される請求項１６の無線装置。
【請求項２３】
前記メディアダウンロードサービスを前記低帯域幅モードで動作させる前記アクトは、
目的メディアをダウンロードすること；および
前記目的メディアに関連するメディアのプレビューを自動的にダウンロードすることを含み、
前記自動的なダウンロードが所定期間中にのみ実行される請求項２２の無線装置。
【請求項２４】
前記メディアダウンロードサービスを低帯域幅モードで動作させる前記アクトは、
より高いエンコードレートを自動的に選択すること；および
前記より高いエンコードレートより小さいエンコードレートでの目的メディアのダウンロードの先のアクトに応答して、前記より高エンコードレートで前記目的メディアを再度、ダウンロードすることを含み、前記ダウンロードが所定期間中にのみ実行される請求項２２の方法。
【請求項２５】
前記メディアダウンロードサービスを前記低帯域幅モードで動作させる前記アクトは、
目的メディアをダウンロードすること；および
前記目的メディアに関連する追加コンテントをダウンロードすることを含み、
前記ダウンロードが所定期間中にのみ実行される請求項２２の無線装置。
【請求項２６】
前記追加コンテントは、
前記目的メディアに関連するアルバムアート；
前記目的メディアに関連する歌詞テキスト；および
前記目的メディアに関連する音楽ビデオの少なくとも一つを含む請求項２５の無線装置。
【請求項２７】
バス手段と；
前記バス手段につながれ、前記無線装置を無線ネットワークに接続する無線送受信手段と；
前記バス手段につながれたユーザインタフェース手段と；
メディアプレーヤを記憶し、前記メディアプレーヤが目的メディアをダウンロードするのを制御するための高帯域幅エアリンクマキシマイザ手段を記憶する、前記バス手段につながれたメモリ手段と；
前記バス手段につながれ、前記無線送受信手段、前記ユーザインタフェース手段、および前記メモリ手段を制御するように構成されたＡＳＩＣ手段とを具備し、
前記高帯域幅エアリンクマキシマイザ手段は、
前記無線ネットワークの帯域幅を推定し、
推定された前記帯域幅が所定閾値を超えるならば、前記ダウンロードを高帯域幅モードで動作させるように構成される無線装置。
【請求項２８】
前記メモリ手段は、前記メディアプレーヤが目的メディアをダウンロードするのを制御するための低帯域幅エアリンクマキシマイザ手段をさらに記憶し、
前記低帯域幅エアリンクマキシマイザ手段は、
前記無線ネットワークの帯域幅を推定し、
推定された前記帯域幅が所定閾値を超えないならば、前記ダウンロードを低帯域幅モードで動作させるように構成される無線装置。
【請求項２９】
無線ネットワークの帯域幅を推定する命令と、
推定された前記帯域幅が所定閾値を超えるときに、メディアダウンロードサービスを高帯域幅モードで動作させる命令とを含む命令が格納されたコンピュータ可読媒体。
【請求項３０】
推定された前記帯域幅が前記所定閾値を超えないときに、前記メディアダウンロードサービスを低帯域幅モードで動作させる命令をさらに記憶する請求項２９の計算機可読媒体。
【発明の詳細な説明】
【技術分野】
【０００１】
本発明は、一般に無線通信に関し、特に、メディアダウンロードサービスのためのネットワーク帯域幅の利用に関する。
【背景技術】
【０００２】
図１は無線通信システム１００の図である。システム１００は、携帯電話機のような複数の無線装置１１０、および地理的領域のカバレッジを提供するために配置される複数の基地局（ＢＴＳ）１２０を含む。典型的には、各無線装置１１０が通信するＢＴＳ１２０は一台だけである。しかし、無線装置１１０が複数のＢＴＳ１２０と通信するいくつかの状況があってもよい。
【０００３】
システム１００は、モバイルスイッチングセンター（ＭＳＣ）１３０を含む。ＭＳＣは、ＢＴＳ１２０の各々と通信し、ＢＴＳ１２０およびＭＳＣ１３０を動作させる無線キャリアのキャリアネットワーク１４０と通信する。キャリアネットワーク１４０は、キャリアネットワーク１４０を（図示しない）他のネットワークにつなぐための１または複数のルータ１５０を含んでも良い。他のネットワークの例は、例えば別の無線キャリアのネットワーク、陸線キャリアのネットワーク、および／またはインターネットのようなデータデータネットワークを含む他の音声およびデータのネットワークであってもよい。システム１００は、以下でより詳細に説明するメディアサーバ１６０を含んでいてもよい。システム１００は、音声およびデータに基づいたサービスを無線装置１１０に提供する。従って、無線ネットワーク１００は、無線装置１１０間で音声およびデータをルーティングするための能力を提供する。
【０００４】
図２は無線装置１１０のより詳細な図である。無線装置１１０は、無線通信システム１００の１または複数のＢＴＳ１２０（図１）と無線で通信するための無線送受信機２１０を含む。無線送受信機２１０はバス２５０につながれる。また無線装置２１０は、ユーザインタフェース２２０を含む。これもバス２５０につながれる。典型的には、ユーザインタフェース２２０は、ディスプレイ、小型キーボード、マイクロホン、およびスピーカを含む。無線装置１１０は、メモリ２３０を含む。これもバス２５０につながれる。メモリ２３０は、アプリケーションプログラミングインターフェース（ＡＰＩ）２３１をサポートするコードを記憶してもよい。メモリ２３０のコンテンツは、１または複数の組み込みのアプリケーションを含み、１または複数のダウンロード可能なアプリケーションを受信するための記憶空間を含んでもよい。共通する組み込みアプリケーションの一つはメディアプレーヤアプリケーション２３２である。メディアプレーヤアプリケーション２３２は、音楽トラックおよびビデオを含む、異なるタイプのメディアを再生するために用いられる。
【０００５】
また無線装置１１０は、特定用途向け集積回路（ＡＳＩＣ）２４０を含む。ＡＳＩＣ２４０もバス２５０につながれており、無線装置を動作し制御するために用いられる。
【０００６】
ここで図１に戻って参照する。システム１００はメディアサーバ１６０を含んでもよい。典型的に、メディアサーバ１６０は、メディアサーバ１６０から無線装置１１０のような他の装置まで目的メディアをダウンロードすることに対して加入者は課金されるようなメディアダウンロードサービスをサポートするために用いられる。多くの無線装置１００はオーディオファイルを再生することが可能であることから、メディアダウンロードサービスの一例は、音楽ダウンロードサービスである。この場合、各目的メディアは音楽トラック、例えばソング、インストルメンタルトラックであり得る。図示のように、メディアサーバ１６０はキャリアネットワーク１４０の一部であるものとして示される。しかし、無線装置１１０とメディアサーバ１６０との間にネットワーク接続性がある限り、メディアサーバ１６０は他のいかなる場所に位置してもよいことが理解されるべきである。例えば、メディアサーバ１６０が（図示しない）インターネット上に位置し、無線装置１１０とメディアサーバ１６０との間のネットワーク接続性が、ルータ１５０によって提供されてもよい。
【０００７】
各目的メディアは、一般に、目的メディアのファイルサイズをより扱いやすいサイズにし、おそらくはデジタル著作権管理スキームをサポートするためにエンコーディングスキームに従ってエンコードされる。ほとんどのエンコーディングスキームは、目的メディアが一連のエンコードレートを用いてエンコードされることを可能にする。典型的に、エンコードレートをより高くすることで再生の忠実度をより高くすることができるが、より大きなデータ記憶空間およびダウンロード時間長期化のコストがかかる。同様に、エンコードレートをより低くすると、再生忠実度は低下するが、データ記憶空間はより小さくなり、高速ダウンロードが可能になる。従って、各目的メディアごとに、メディアサーバ１６０は複数のエンコーディングを記憶してもよい。例えば、ストリーミング音楽用に低データレートエンコーディングが記憶され、携帯音楽プレーヤへのダウンロード用に中間データレートエンコーディングが記憶され、ユーザーが追記型コンパクトディスクを作成できるように高データレートエンコーディングが記憶されてもよい。さらに、メディアサーバ１６０は、アルバムアート、歌詞、ミュージックビデオ等のような目的メディアに関係する追加情報を記憶してもよい。
【０００８】
ここ数年にわたって、無線通信システム１００には数多くの改善がなされた。特に、高速データ通信を可能にする新規のエアリンクインターフェースが無線通信システム１００に導入された。また、無線でのさらに高速なデータ送信を可能にする新規のエアリンクインターフェースが設計されている。しかし、エアリンクスループットにおけるこれらの進歩にもかかわらず、メディアをダウンロードするサービスでは新規の増加した帯域幅を利用していない。従って、無線ネットワーク上のメディアダウンロードサービスの能力を知的に最大化する手段の必要および要望がある。
【発明の概要】
【０００９】
開示された実施形態は、ネットワーク上のメディアダウンロードサービスの能力を知的に最大化するための装置および方法を提供する。一の態様では、この発明は、ネットワークを具備することに関するメディアダウンロードサービスの能力を最大化する方法であって、前記ネットワークの帯域幅を推定すること、および、前記帯域幅を所定閾値と比較することを含み、前記比較するステップにおいて前記帯域幅が前記所定閾値より大きいならば、前記メディアダウンロードを高帯域幅モードで動作させることを含む。別の態様において、この発明は、利用可能帯域幅が前記所定閾値より大きくないならば、前記メディアダウンロードを低帯域幅モードで動作させる方法を含む。
【００１０】
さらに別の態様では、この発明は、バスと、前記バスにつながれ前記無線装置を無線ネットワークに接続する無線送受信機と、前記バスにつながれたユーザインタフェースと、メディアプレーヤを記憶し前記メディアプレーヤが目的メディアをダウンロードするのを制御するための高帯域幅エアリンクマキシマイザを記憶する前記バスにつながれたメモリと、前記バスにつながれ、前記無線送受信機、前記ユーザインタフェース、および前記メモリを制御するように構成されたＡＳＩＣとを具備し、前記高帯域幅エアリンクマキシマイザは、前記無線ネットワークの帯域幅を推定し、前記帯域幅を所定閾値と比較し、前記比較において前記帯域幅が前記所定閾値より大きいと判定されたならば、前記ダウンロードを高帯域幅モードで動作させる無線装置を対象とする。
【００１１】
別の態様において、この発明は、バス手段と、前記バス手段につながれ前記無線装置を無線ネットワークに接続する無線送受信手段と、前記バス手段につながれたユーザインタフェース手段と、メディアプレーヤを記憶し、および前記メディアプレーヤが目的メディアをダウンロードするのを制御するための高帯域幅エアリンクマキシマイザ手段を記憶する、前記バス手段につながれたメモリ手段と、前記バス手段につながれ、前記無線送受信手段、前記ユーザインタフェース手段、および前記メモリ手段を制御するように構成されたＡＳＩＣ手段とを具備し、前記高帯域幅エアリンクマキシマイザ手段は、前記無線ネットワークの帯域幅を推定し、前記帯域幅を所定閾値と比較し、前記比較において前記帯域幅が前記所定閾値より大きいと判定されたならば、前記ダウンロードを高帯域幅モードで動作させる無線装置を対象とする。
【００１２】
別の態様において、この発明は命令が格納されたコンピュータ可読媒体を対象とし、該命令は、無線ネットワークの帯域幅を推定するための命令と、前記帯域幅を所定閾値と比較するための命令と、前記比較するステップにおいて、前記帯域幅が前記所定閾値よりも大きいと判定されたならば、メディアダウンロードを高帯域幅モードで動作させるための命令を含む。
【図面の簡単な説明】
【００１３】
この発明の上記および他の利点および特徴は、添付の図面を参照して以下で与えられたこの発明の実施形態の詳細な説明からより明白になるであろう。それらの説明は以下のとおりである。
【図１】図１は従来の無線通信システムの図である。
【図２】図２は従来の無線装置の図である。
【図３】図３は、この発明の一実施形態に従う無線装置の図である。
【図４】図４は、ネットワーク上のメディアダウンロードサービスの能力を知的に最大化するための処理を示すフローチャートである。
【図５】図５は、ネットワーク上のメディアダウンロードサービスの能力を知的に最大化するための別の処理を示すフローチャートである。
【発明を実施するための形態】
【００１４】
ここで図面を参照すると、図３には本発明の一実施形態に従う無線装置１１０’が示される。参照数字等は構成要素等を示す。無線装置１１０’は、無線通信システム１００において無線装置１１０（図１）の代わりに用いることが可能である。
【００１５】
無線装置１１０’は、無線通信システム１００の１または複数のＢＴＳ１２０（図１）と無線で通信するための無線送受信機２１０を含む。無線送受信機２１０はバス２５０につながれる。
【００１６】
また無線装置１１０’は、ユーザインタフェース２２０を含む。これもバス２５０につながれる。典型的には、ユーザインタフェース２２０は、ディスプレイ、小型キーボード、マイクロホン、およびスピーカを含む。しかし、異なるユーザインタフェースを用いてこの発明を実施可能であることを当業者は認識されよう。
【００１７】
無線装置１１０’は、メモリ２３０を含む。これもバス２５０につながれる。メモリ２３０は、アプリケーションプログラミングインターフェース（ＡＰＩ）２３１をサポートするコードを記憶してもよい。一実施形態において、ＡＰＩはＱＵＡＬＣＯＭＭ（登録商標）社のＢＲＥＷ（登録商標）プラットフォームに関連するＡＰＩである。しかし、他のＡＰＩをサポートする無線装置においてこの発明が実施されてもよいことを当業者は認識されよう。
【００１８】
メモリ２３０のコンテンツは、１または複数の組み込みのアプリケーションを含んでもよく、１または複数のダウンロード可能なアプリケーションを受信するための記憶空間を含んでもよい。特に、メモリ２３０のコンテンツは、メディアプレーヤアプリケーション２３２を含む。メディアプレーヤアプリケーション２３２は異なるメディアタイプを再生することが可能であり、メディアプレーヤ２３２が新規のファイル・タイプについて動作することを可能にするために、ダウンロード可能なコンプレッサ／デコンプレッサ（コーデック）と互換性をもつように設計されることが好ましい。一実施形態において、メモリ２３０のコンテンツは、さらに、高帯域幅エアリンクマキシマイザ３３２および低帯域幅エアリンクマキシマイザ３３３を含む。高帯域幅エアリンクマキシマイザ３３２および低帯域幅エアリンクマキシマイザ３３３は、それぞれ図４−５を参照してより詳細に以下で説明する。
【００１９】
また無線装置１１０’は、バス２５０を通じて無線送受信機２１０、ユーザインタフェース２２０、およびメモリ２３０を制御する特定用途向け集積回路（ＡＳＩＣ）２４０を含む。
【００２０】
当業者は、この発明の範囲から逸脱することなく、無線装置１１０’のアーキテクチャを変えることが可能であることを理解するだろう。例えば、可能性のある幾つかの変形は、複数の無線送受信機２１０を持つことを含み、複数の記憶装置２３０を持つことであり、例えば、ＤＲＡＭベースのメモリユニットおよび不揮発性メモリユニット、例えばＦＬＡＳＨ、ＥＰＲＯＭ、ＥＥＰＲＯＭ、ＲＯＭメモリユニットのような異なる型の記憶装置を含む。実施形態によっては、メモリ２３０の少なくとも一部がＡＳＩＣ２４０上に具体化されてもよい。さらに、ＡＳＩＣ２４０は、複数のＡＳＩＣ、または非ＡＳＩＣチップおよび１または複数のＡＳＩＣの何らかの組合せであってもよい。
【００２１】
図４は、本発明の無線装置１１０’による、高帯域幅ネットワーク上のメディアダウンロードサービスの能力を知的に最大化するための処理４００を示すフローチャートである。ステップＳ０からステップＳ１に移ることで処理４００が開始する。
【００２２】
ステップＳ１では、利用可能帯域幅の推定を求める。無線装置の分野において、無線ネットワークは複数のエアインタフェースをサポートしてもよい。例えば、無線ネットワークが、主として音声通信のための低速インタフェース（例えばＩＳ−９５／ＴＩＡ−ＥＩＡ−９５／ｃｄｍａＯｎｅまたはＧＭＳ）をサポートし、汎用パケット無線システム（ＧＰＲＳ）、ＩＳ−８５６／Ｅｖｏｌｕｔｉｏｎ−Ｄａｔａ  Ｏｐｔｉｍｉｚｅｄ（ＥＶ−ＤＯ）、高速ダウンリンクパケットアクセス（ＨＳＤＰＡ）、ユニバーサルモバイルテレコミュニケーション・システム（ＵＭＴＳ）のような１または複数の高速インタフェースをサポートしてもよい。各エアインタフェースは、特定の帯域幅または帯域幅範囲に対応付けられる。一実施形態において、利用可能帯域幅の推定は、無線装置１１０’と、該無線装置１１０’が通信しているＢＴＳ１２０との間の通信のためにどの型のエアインタフェースが利用されているかに従ってなされる。
【００２３】
さらに、エアインタフェースのうちのいくつかについては、利用可能帯域幅が外部要因にさらに、依存することがある。例えば、ＥＶ−ＤＯエアインタフェースでは、無線装置１１０’と、該無線装置１１０’と通信するＢＳＴ１２０との間の距離の関数として、利用可能帯域幅が変わることがある。その距離は、各ＢＳＴ１２０の位置が既知であり、また無線装置１１０’の位置が、グローバル・ポジショニング衛星（ＧＰＳ）から受信された信号の使用、または無線装置１１０’とＢＳＴ１２０の間で送信された信号についての三角測量、到来角、および／または到達時間技術の何らかの組合せの使用を含む何らか技術を用いて計算され得ることから、計算され得る。一実施形態において、利用可能帯域幅の推定は、エアインタフェースの型、ならびに帯域幅に影響することが既知の外部要因の計上の両者に応じてなされる。ひとたび利用可能帯域幅が推定されたならば、処理４００はステップＳ２に移る。
【００２４】
ステップＳ２では、推定された利用可能帯域幅を、所定閾値レベルと比較する。所定閾値レベルは、メディアサーバを動作させる無線キャリアまたはメディアダウンロードサービスによって設定されることのできるパラメータである。推定された利用可能帯域幅が所定閾値より大きい場合、処理４００はステップＳ３に移る。一方、推定された利用可能帯域幅が所定閾値よりも大きくない場合、処理４００はステップＳ４に移って終了する。
【００２５】
ステップＳ３では、メディアダウンロードサービスが高帯域幅モードに従って動作する。すなわち、メディアダウンロードサービスは、高帯域幅接続を持つことにより与えられる機会を利用するよう動作する。例えば、高帯域幅モードにおいて無線装置１１０’は、オポチュニスティックダウンロードを実行し、より高いエンコードレートを用い、より高いエンコードレートへの交換を行い、および／または追加マテリアルをけん引（ｐｕｌｌ）してもよい。これらの技術の各々は以下でより詳細に説明する。ステップＳ３の後、処理４００はステップＳ４の終了に進む。
【００２６】
ステップＳ４では、処理４００が終了する。
【００２７】
オポチュニスティックダウンロード
多くの音楽ダウンロードサービスは、コンシューマーがどのソングを好んでおり、購入つまり聞くのが好きであるかを当該コンシューマーのリスニングまたは購買履歴に基づいて予測することが可能である。オポチュニスティックダウンロードは、コンシューマーが好むと予測されるソングのプレビュー部分をさらに得るダウンロード処理のことを指す。ソングのプレビュー部分は、例えば、ソングの先頭から３０秒である。しかし、当業者は、ソングの任意の部分からのプレビュー部分を選択することにより本発明を実施してもよいことを認識されよう。一実施形態において、無線装置１１０’が高帯域幅モードである場合、無線装置１１０’はオポチュニスティックダウンロードを実行する。
【００２８】
より高いエンコードレートの使用
上述したように、エンコードレートをより高くすることで再生の忠実度をより高くすることができるが、より大きなデータ記憶空間およびダウンロード時間長期化のコストがかかる。しかしながら、無線装置１１０’が利用可能な記憶容量は増加の一途を辿っており、また近頃の無線ネットワーク帯域幅の増加により無線装置１１０’は、より高いエンコードレートの使用に適合する。一実施形態において、高帯域幅エアインタフェースが利用可能な場合、無線装置１１０’は、より低いエンコードレートを持つメディアコピーのダウンロードに代えて、より高いエンコードレートを用いてエンコードされたメディアのコピーをダウンロードするようにメディアサーバ１６０に指示する。
【００２９】
より高いエンコードレートへの交換
あるメディアコンテンツが、当初は低いエンコードレートを用いて取得されているならば、高帯域幅を利用できるのであれば、同一の主題を持ち、かつより高いエンコードレートのメディアによって、既存のメディアを交換することが可能である。一実施形態において、高帯域幅エアインタフェースが利用可能な場合、無線装置１１０’は、以前にダウンロードされ、低エンコードレートでエンコードされたものを、より高いエンコードレートを持つ、対応するコンテンツに差し替える。
【００３０】
追加マテリアルのけん引
メディアサーバ１６０は、しばしば各メディアに関連する他の情報を記憶する。他の情報の例は、各ソングに関連するアート、ビデオ、および歌詞を含んでも良い。一実施形態において、高帯域幅エアインタフェースが利用可能な場合、無線装置１１０’はダウンロードされているメディアに関連するアート、ビデオ、および歌詞の少なくとも１つをさらにダウンロードする。
【００３１】
図５は、本発明の無線装置１１０’による、低帯域幅ネットワーク上のメディアダウンロードサービスの能力を知的に最大化するための処理５００を示すフローチャートである。ステップＳ１０からステップＳ１１に移ることで処理５００が開始する。
【００３２】
ステップＳ１１では、利用可能帯域幅の推定を求める。ステップＳ１１は上述したステップＳ１（図４）と同一である。ひとたび利用可能帯域幅が推定されたならば、処理５００はステップＳ２に移る。
【００３３】
ステップＳ１２では、推定された利用可能帯域幅を、（図４のステップＳ２に関連して上述した）所定閾値レベルと比較する。推定された利用可能帯域幅が所定閾値よりも大きくない場合、処理５００はステップＳ１３に移る。一方、推定された利用可能帯域幅が所定閾値よりも大きくない場合、処理５００はステップＳ１４に移って終了する。
【００３４】
ステップＳ１３では、メディアダウンロードサービスが低帯域幅モードに従って動作する。すなわち、メディアダウンロードサービスは、比較的小さなネットワーク帯域幅を持つネットワークリンクに敏感となるように動作する。一実施形態において、上述したオポチュニスティックダウンロード、より高いエンコードレートの使用、より高いエンコードレートへの交換、および追加けん引の機能は高帯域幅モードにおいてのみ可能であったので、これらの追加機能は無効になる。別の実施形態において、上述したオポチュニスティックダウンロード、より高いエンコードレートへの交換、および追加けん引の機能の１または複数を有効にするが、無線キャリアの「閑散」時間のような所定期間中にのみ実行するようにしてもよい。ステップＳ１３の後、処理５００はステップＳ１４の終了に進む。
【００３５】
ステップＳ１４では、処理５００が終了する。
【００３６】
この発明を例示的実施形態に関して詳細に説明したが、この発明は上記の開示された実施形態に限定されないことを理解されたい。もっと正確に言えば、この発明は、これまでに説明されなかったがこの発明の精神および範囲に相応する何らかの変形、交替、置換または等価な構成を組込むように修正することが可能である。
【００３７】
例えば、本出願では、無線ネットワーク、特にエアインタフェースに関してこの発明の原理の適用を述べたが、当業者は、この発明が有線ネットワーク環境において実施されてもよいことを認識するはずである。例をあげると、デジタル加入者回線（ＤＳＬ）線は、加入者と、該加入者の中央局との間のローカルループの長さの関数として、部分的に変化する帯域幅を持つ。従って、該ローカルループの長さは、ＥＶ−ＤＯ環境における無線装置とそのＢＳＴとの間の距離と多少類似しており、本発明の原理を有線ＤＳＬネットワークに適用することができるかもしれない。
【００３８】
さらに、高または低帯域幅エアリンクマキシマイザを用いるかどうか判定するための単一パラメータを利用する実施形態を示したが、当業者は、本発明の原理は、２つを超えるエアリンクマキシマイザの使用に適用可能であることを認識するはずである。そのようなシステムは、どのエアリンクマキシマイザを用いるかを判定するしきい値を設定するための２以上のパラメータを使用するだろう。
【００３９】
従って、この発明は、先の詳細な説明または図面によって限定されず、添付の請求の範囲によってのみ限定される。
【図１】
2015062289.tif 000003
【図２】
2015062289.tif 000004
【図３】
2015062289.tif 000005
【図４】
2015062289.tif 000006
【図５】
2015062289.tif 000007
【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
ネットワーク上のメディアダウンロードサービスの能力を最大化する方法であって、
前記ネットワークの帯域幅を推定すること；および
推定された前記帯域幅が所定閾値を超える場合に、前記メディアダウンロードサービスを高帯域幅モードで動作させることを含む方法。
【手続補正２】
【補正対象書類名】明細書
【補正対象項目名】００３９
【補正方法】変更
【補正の内容】
【００３９】
従って、この発明は、先の詳細な説明または図面によって限定されず、添付の請求の範囲によってのみ限定される。
以下に、本願出願の当初の特許請求の範囲に記載された発明を付記する。
［Ｃ１］
ネットワーク上のメディアダウンロードサービスの能力を最大化する方法であって、
前記ネットワークの帯域幅を推定すること；および
推定された前記帯域幅が所定閾値を超える場合に、前記メディアダウンロードサービスを高帯域幅モードで動作させることを含む方法。
［Ｃ２］
前記高帯域幅モードで前記メディアダウンロードサービスを動作させるアクトは、
目的メディアをダウンロードすること；および
前記目的メディアに関連するメディアのプレビューを自動的にダウンロードすることを含むＣ１の方法。
［Ｃ３］
前記高帯域幅モードで前記メディアダウンロードサービスを動作させるアクトは、
高エンコードレートを自動的に選択すること；および
選択された前記高エンコードレートに合致する前記目的メディアをダウンロードすることを含むＣ１の方法。
［Ｃ４］
前記高帯域幅モードで前記メディアダウンロードサービスを動作させるアクトは、
高エンコードレートを自動的に選択すること；および
前記高エンコードレートより小さいエンコードレートでの目的メディアのダウンロードの先のアクトに応答して、前記高エンコードレートで前記目的メディアをダウンロードすることを含むＣ１の方法。
［Ｃ５］
前記高帯域幅モードで前記メディアダウンロードサービスを動作させるアクトは、
目的メディアをダウンロードすること；および
前記目的メディアに関連する追加コンテントをダウンロードすることを含むＣ１の方法。
［Ｃ６］
前記追加コンテントは、
前記目的メディアに関連するアルバムアート；
前記目的メディアに関連する歌詞テキスト；および
前記目的メディアに関連する音楽ビデオの少なくとも一つを含むＣ５の方法。
［Ｃ７］
前記ネットワークは、低速インタフェースおよび少なくとも１つの高速インタフェースを具備し、低速インタフェースおよび高速インタフェースは、それぞれに関連する異なる帯域幅を持ち、前記推定するステップは、前記インタフェースのうちのいずれが使用されているかを識別することを含むＣ１の方法。
［Ｃ８］
前記ネットワークは無線ネットワークであり、前記高速インタフェースは、
ＩＳ−８５６／Ｅｖｏｌｕｔｉｏｎ−Ｄａｔａ  Ｏｐｔｉｍｉｚｅｄ（ＥＶ−ＤＯ）インタフェース；
高速ダウンリンクパケットアクセス（ＨＳＤＰＡ）インタフェース；および
ユニバーサルモバイルテレコミュニケーション・システム（ＵＭＴＳ）インタフェースの少なくとも一つを含むＣ７の方法。
［Ｃ９］
前記帯域幅は外部パラメータの関数であり、前記推定するステップは、前記外部パラメータの値を識別することを含むＣ１の方法。
［Ｃ１０］
前記ネットワークがＩＳ−８５６／Ｅｖｏｌｕｔｉｏｎ−Ｄａｔａ  Ｏｐｔｉｍｉｚｅｄ（ＥＶ−ＤＯ）インタフェースを使用しており、前記外部パラメータは、ダウンロードのための装置と、該ダウンロードのための装置と通信する基地局との間の距離であるＣ９の方法。
［Ｃ１１］
推定された前記帯域幅が所定閾値を超えないときに、前記メディアダウンロードサービスを低帯域幅モードで動作させることをさらに含むＣ１の方法。
［Ｃ１２］
前記メディアダウンロードサービスを前記低帯域幅モードで動作させる前記アクトは、
目的メディアをダウンロードすること；および
前記目的メディアに関連するメディアのプレビューを自動的にダウンロードすることを含み、
前記自動的なダウンロードは、所定期間中にのみ実行されるＣ１１の方法。
［Ｃ１３］
前記メディアダウンロードサービスを低帯域幅モードで動作させる前記アクトは、
より高いエンコードレートを自動的に選択すること；および
前記より高いエンコードレートより小さいエンコードレートでの目的メディアのダウンロードの先のアクトに応答して、前記より高エンコードレートで前記目的メディアを再度、ダウンロードすることを含み、前記ダウンロードが所定期間中にのみ実行されるＣ１１の方法。
［Ｃ１４］
前記メディアダウンロードサービスを低帯域幅モードで動作させる前記アクトは、
目的メディアをダウンロードすること；および
前記目的メディアに関連する追加コンテントをダウンロードすることを含み、前記ダウンロードが所定期間中にのみ実行されるＣ１１の方法。
［Ｃ１５］
前記追加コンテントは、
前記目的メディアに関連するアルバムアート；
前記目的メディアに関連する歌詞テキスト；および
前記目的メディアに関連する音楽ビデオの少なくとも一つを含むＣ１４の方法。
［Ｃ１６］
バスと；
前記バスにつながれ、前記無線装置を無線ネットワークに接続する無線送受信機と；  前記バスにつながれたユーザインタフェースと；
メディアプレーヤを記憶し、前記メディアプレーヤが目的メディアをダウンロードするのを制御するための高帯域幅エアリンクマキシマイザを記憶する、前記バスにつながれたメモリと；
前記バスにつながれ、前記無線送受信機、前記ユーザインタフェース、および前記メモリを制御するように構成されたＡＳＩＣとを具備し、
前記高帯域幅エアリンクマキシマイザは、
前記無線ネットワークの帯域幅を推定し；
推定された前記帯域幅が所定閾値を超えるときに、前記ダウンロードを高帯域幅モードで動作させるように構成される無線装置。
［Ｃ１７］
前記高帯域幅モードでの前記ダウンロードは、
前記目的メディアをダウンロードすること；および
前記目的メディアに関連するメディアのプレビューを自動的にダウンロードすることを含むＣ１６の無線装置。
［Ｃ１８］
前記高帯域幅モードでの前記ダウンロードは、
より高いエンコードレートを自動的に選択すること；
選択された前記より高いエンコードレートに合致する前記目的メディアをダウンロードすることを含むＣ１６の無線装置。
［Ｃ１９］
前記高帯域幅モードでの前記ダウンロードは、
より高いエンコードレートを自動的に選択すること；および
前記より高いエンコードレートより小さいエンコードレートでの前記目的メディアのダウンロードの先のアクトに応答して、前記より高いエンコードレートで前記目的メディアを再度、ダウンロードすることを含むＣ１の方法。
［Ｃ２０］
前記高帯域幅モードでの前記ダウンロードは、
前記目的メディアをダウンロードすること；および
前記目的メディアに関連する追加コンテントをダウンロードすることを含むＣ１６の無線装置。
［Ｃ２１］
前記追加コンテントは、
前記目的メディアに関連するアルバムアート；
前記目的メディアに関連する歌詞テキスト；および
前記目的メディアに関連する音楽ビデオの少なくとも一つを含むＣ２０の無線装置。
［Ｃ２２］
前記メモリは、前記メディアプレーヤが目的メディアをダウンロードするのを制御するための低帯域幅エアリンクマキシマイザをさらに記憶し、
前記低帯域幅エアリンクマキシマイザは、
前記無線ネットワークの帯域幅を推定し、
推定された前記帯域幅が所定閾値を超えないときに、前記ダウンロードを低帯域幅モードで動作させるように構成されるＣ１６の無線装置。
［Ｃ２３］
前記メディアダウンロードサービスを前記低帯域幅モードで動作させる前記アクトは、
目的メディアをダウンロードすること；および
前記目的メディアに関連するメディアのプレビューを自動的にダウンロードすることを含み、
前記自動的なダウンロードが所定期間中にのみ実行されるＣ２２の無線装置。
［Ｃ２４］
前記メディアダウンロードサービスを低帯域幅モードで動作させる前記アクトは、
より高いエンコードレートを自動的に選択すること；および
前記より高いエンコードレートより小さいエンコードレートでの目的メディアのダウンロードの先のアクトに応答して、前記より高エンコードレートで前記目的メディアを再度、ダウンロードすることを含み、前記ダウンロードが所定期間中にのみ実行されるＣ２２の方法。
［Ｃ２５］
前記メディアダウンロードサービスを前記低帯域幅モードで動作させる前記アクトは、
目的メディアをダウンロードすること；および
前記目的メディアに関連する追加コンテントをダウンロードすることを含み、
前記ダウンロードが所定期間中にのみ実行されるＣ２２の無線装置。
［Ｃ２６］
前記追加コンテントは、
前記目的メディアに関連するアルバムアート；
前記目的メディアに関連する歌詞テキスト；および
前記目的メディアに関連する音楽ビデオの少なくとも一つを含むＣ２５の無線装置。
［Ｃ２７］
バス手段と；
前記バス手段につながれ、前記無線装置を無線ネットワークに接続する無線送受信手段と；
前記バス手段につながれたユーザインタフェース手段と；
メディアプレーヤを記憶し、前記メディアプレーヤが目的メディアをダウンロードするのを制御するための高帯域幅エアリンクマキシマイザ手段を記憶する、前記バス手段につながれたメモリ手段と；
前記バス手段につながれ、前記無線送受信手段、前記ユーザインタフェース手段、および前記メモリ手段を制御するように構成されたＡＳＩＣ手段とを具備し、
前記高帯域幅エアリンクマキシマイザ手段は、
前記無線ネットワークの帯域幅を推定し、
推定された前記帯域幅が所定閾値を超えるならば、前記ダウンロードを高帯域幅モードで動作させるように構成される無線装置。
［Ｃ２８］
前記メモリ手段は、前記メディアプレーヤが目的メディアをダウンロードするのを制御するための低帯域幅エアリンクマキシマイザ手段をさらに記憶し、
前記低帯域幅エアリンクマキシマイザ手段は、
前記無線ネットワークの帯域幅を推定し、
推定された前記帯域幅が所定閾値を超えないならば、前記ダウンロードを低帯域幅モードで動作させるように構成される無線装置。
［Ｃ２９］
無線ネットワークの帯域幅を推定する命令と、
推定された前記帯域幅が所定閾値を超えるときに、メディアダウンロードサービスを高帯域幅モードで動作させる命令とを含む命令が格納されたコンピュータ可読媒体。
［Ｃ３０］
推定された前記帯域幅が前記所定閾値を超えないときに、前記メディアダウンロードサービスを低帯域幅モードで動作させる命令をさらに記憶するＣ２９の計算機可読媒体。
【外国語明細書】
2015062289000001.pdf